(57)【要約】  本発明は、ソックス、特にスポーツ活動で使用するためのソックスであって、足部分（１）と胴部（２）とを有しており、該足部分は、爪先領域（１１）と、踵領域（１２）と、これら爪先領域と踵領域との間に位置する踏み領域（１３）とを有しており、Ｏリングバンデージ（２２）が設けられている形式のものに関する。距骨関節の領域に、少なくとも１つのＯリングバンデージ（２２）が配置されており、該Ｏリングバンデージが、ソックスの周面に非対称的に延びている。
2009500538.tif 000002
【特許請求の範囲】
【請求項１】
ソックス、特にスポーツ活動で使用するためのソックスであって、胴部と足部分とを有しており、該足部分は、爪先領域と、踵領域と、これら爪先領域と踵領域との間に位置する踏み領域とを有しており、Ｏリングバンデージが設けられている形式のものにおいて、
距骨関節の領域に、少なくとも１つのＯリングバンデージ（２２）が配置されており、該Ｏリングバンデージが、ソックスの周面に非対称的に延びていることを特徴とするソックス。
【請求項２】
非対称的なＯリングバンデージ（２２）が足の内側ではくるぶしの下側で延びており、足の外側ではくるぶしの上側で延びている、請求項１記載のソックス。
【請求項３】
非対称的なＯリングバンデージ（２２）が脚の内側ではくるぶしの上側で延びており、足の外側ではくるぶしの下側で延びている、請求項１記載のソックス。
【請求項４】
２つのＯリングバンデージ（２２）が設けられている、請求項１から３までのいずれか１項記載のソックス。
【請求項５】
２つのＯリングバンデージ（２２）が逆向きに配置されている、請求項４記載のソックス。
【請求項６】
２つのＯリングバンデージ（２２）がウエブ（２４）によって互いに結合されている、請求項４又は５記載のソックス。
【請求項７】
Ｏリングバンデージ（２２）がエラスタンから製造されている、請求項１から６までのいずれか１項記載のソックス。
【請求項８】
ソックスが少なくとも１つの空調通路を有している、請求項１から７までのいずれか１項記載のソックス。
【請求項９】
空調通路が空調制御する網目状の組織から製造されている、請求項８記載のソックス。
【請求項１０】
空調通路がバンデージ（２２）を通って案内されている、請求項８又は９記載のソックス。
【発明の詳細な説明】
【技術分野】
【０００１】
本発明は、ソックス、特にスポーツ活動で使用するためのソックスであって、胴部と足部分とを有しており、該足部分は、爪先領域と、踵領域と、これら爪先領域と踵領域との間に位置する踏み領域とを有しており、Ｏリングバンデージが設けられている形式のものに関する。
【０００２】
特にスポーツ活動時においては、人の足は通常ソックスによって覆われている。足に対するソックスの良好な適合フォームを得るために、Ｏリングバンデージをソックスまたはストッキングに設けることが公知である（例えば、ＵＳ５６１７７４５号明細書参照）。しかしながら、このＯリングバンデージは、ソックスの長手方向中心線に対して平行に、対称的に環状に形成されている。
【０００３】
走り運動および跳躍運動の際には、特に距骨関節の領域で、足の負荷が著しく高くなる。足は、衝撃を緩衝するために内側へ屈曲するという自然な機能を有している。このような機能は回内運動と言われる。足裏の外面を地面につけると、負荷が幾分内側に移動し、これにより足の土踏まずが沈み、ひいては衝撃の一部を緩衝することができる。しかしながら人の足は、種々様々に形成されている。普通の足、凹足または三日月状足、扁平足は異なるものである。普通の足はバランスのとれた土踏まずを示している。普通の足は、歩行及び走行の際に最初は、足後方の外面で地面に接触する。次いで、足は内側に転動し、足の衝撃を吸収し、緩衝する。これが自然な回内運動と言われるものである。凹足または三日月状足は、着地段階で殆ど内側に屈曲することはなく、殆ど足の前方領域及び後方領域で足跡を残す。これは過小回内運動もしくは回外運動と言われる。足の自然な衝撃保護は過小回内運動のもとでは著しく減じられる。これに対して扁平足は、極めて低い土踏まずを有し、全体的な足跡を残す。扁平足は接地状態後には極めて著しく内側に屈曲する。これは過剰回内運動と言われる。さらに、足関節の領域における運動機器は、通常、Ｏ脚もしくはＸ脚と言われる脚の欠陥姿勢により負荷されることがある。
【０００４】
過剰回内運動も過小回内運動も脚の欠陥姿勢を有する人も、自然な緩衝に僅かに苦しんでいる。これにより足は特に負荷される。腱と運動機器の帯状部分とを距骨関節の周りに支持するために、足にバンデージを巻くことが公知である。この場合、バンデージを水平に、向こう脛の下側領域でくるぶしの周りに巻き付けてから、ソックスを足にはかせる。このような巻き付けは、一方では不十分な安定性や運動機器の支持を生ぜしめ、他方では、過剰回内運動もしくは過小回内運動における特別な形態の負荷を想定していない。さらにバンデージはソックスの下で極めて膨張し、これにより装着快適性が減じられる。
【０００５】
この場合、本発明が効果を奏する。本発明の課題は、運動機器を、距骨関節の領域で支持し、この場合特に、過剰回内運動もしくは過小回内運動並びに脚の欠陥姿勢における特別な負荷のために設計されているソックスを提供することである。この課題を解決するために本発明の構成では、距骨関節の領域に、少なくとも１つのＯリングバンデージが配置されており、該Ｏリングバンデージが、ソックスの周面に非対称的に延びているようにした。
【０００６】
本発明によれば、距骨関節の領域における運動機器を支持し、特に、過剰回内運動もしくは過小回内運動並びに脚の欠陥姿勢における特別な負荷のために設計されている、特にスポーツ活動のためのソックスが提供されている。このような理由から、Ｏリングバンデージは距骨関節の領域で、その都度の負荷状態に合った支持機能が得られるように延びている。
【０００７】
本発明の構成では、非対称的なＯリングバンデージは、足の内側ではくるぶしの下側で延びていて、足の外側ではくるぶしの上側で延びている。これにより足関節は特に、内側への著しい力作用に対して保護される。
【０００８】
本発明の別の構成では、非対称的なＯリングバンデージは、足の内側ではくるぶしの上側で延びていて、足の外側ではくるぶしの下側で延びている。これにより足関節は特に、外側への著しい力作用に対して保護される。
【０００９】
本発明の別の構成では２つのＯリングバンデージが設けられている。これにより、距骨関節に加えられる支持機能はさらに高められる。バンデージの逆向配置によりさらに、距骨関節の両側で作用する支持機能が得られる。
【００１０】
本発明の構成によれば、ソックスが少なくとも１つの空調通路を有している。空調通路は、汗による湿気を導出することによって足の空調を最適にするために利用される。過剰な材料注文を回避するために空調通路は有利にはバンデージによって案内されている。
【００１１】
本発明の別の構成はその他の従属請求項に記載されている。本発明の実施例を図面に示し、以下で詳細に説明する。
【００１２】
実施例（図１）として選択されたソックスは、足部分１と胴部２とを有している。足部分１は爪先領域１１と、踵領域１２と、これら爪先領域と踵領域との間に位置する踏み領域１３とを有している。これらの領域１１，１２，１３は実施例で示されているように強化材料から製造することができる。材料を組み合わせて、例えば、フリースウールと弾性繊維材料とを組み合わせて使用することもできる。
【００１３】
胴部２には、足部分１とは反対の側の端部に折り返し部２１が設けられている。ソックスの距骨関節の領域にはＯリングバンデージ２２が設けられていて、これはソックスの周面に沿って非対称的に延びている。バンデージ２２は弾性的で、空調制御される製織品から成っている。有利には、エラスタン、ライクラ（Ｌｙｃｒａ）または種々様々な伸縮性を有する別の材料を使用することができる。
【００１４】
Ｏリングバンデージ２２は連続的に環状であって、ソックスを形成する組織に織り合わされている。この場合、Ｏリングバンデージ２２は図１及び図２の実施例では非対称的に、足の外側では、符号「Ｋ」で示したくるぶしの下側で、足の内側ではくるぶしＫの上側で延びている。Ｏリングバンデージ２２は距骨関節と、この距骨関節の周りに配置された帯状部分とを、この実施例では、特にくるぶしに対して内側に向かって作用する場合に支持する。選択的には非対称的なＯリングバンデージ２２を、同様に非対称的に、足の外側ではくるぶしＫの上側で、足の内側ではくるぶしの下側で延びるように形成することができる（図３及び図４参照）。このような構成では、Ｏリングバンデージ２２は、距骨関節と、この距骨関節の周りに配置された帯状部分とを、特にくるぶしに対して外側に向かって作用する場合に支持する。
【００１５】
図４に示した一組のソックスでは、非対称的なＯリングバンデージ２２が、足の外側ではくるぶしＫの上側で、足の内側ではくるぶしＫの下側で延びるように案内されていて、後方から見ると「Ｖ字型」になっている。これとは逆に、図２に示した一組のソックスでは、非対称的なＯリングバンデージ２２の配置により、後ろから見ると「Ａ字型」になっている。
【００１６】
図５及び図６に示した実施例では、ソックスに２つのＯリングバンデージ２２が設けられていて、これにより支持作用はさらに向上する。この場合、バンデージ２２の逆向配置が選択されているので、バンデージ２２はそれぞれアキレス腱の領域と、足の甲から向こうずね（脛骨）への移行部の領域で交差している。この一組のソックスを後方から見ると、Ｏリングバンデージ２２のこのような配置により「Ｘ字型」に見える。このような構成により、距骨関節の両側に作用する支持機能が生じる。この場合、くるぶし「Ｋ」は外側及び内側でバンデージ２２によって取り巻かれている。
【００１７】
図７及び図８の実施例では、同様に２つの逆向きに延びるＯリングバンデージ２２が設けられている。脚の外側及び脚の内側で、この領域で、互いに間隔を置いて延びているバンデージ２２はウエブ２４によって互いに結合されている。ウエブ２４は、くるぶしＫ上に延びている。これにより支持機能はさらに改善される。特に側方の支持機能が生じ、この支持機能のもとでは、走行等の際に足の回転運動及び屈曲運動が全く妨害されない。何故ならば、足が屈曲する領域、即ち、アキレス腱の領域及び足の甲から向こうずねへの移行部の領域ではこのバンデージ２２は最も幅の狭い個所を有しているからである。
【００１８】
ソックスには空調通路（図示せず）を設けることができる。この空調通路は折り返し部２１を起点として、踏み領域１３にまで達しており、空調制御する網目状の組織から成っている。空調通路は、踏み領域１３から湿気を上方に導出するのに役立っている。空調通路上に非対称的なＯリングバンデージ２２が配置されている。このような空調通路はソックスの脚の外側に設けられていても、脚の内側に設けられていても良い。
【００１９】
ここまで明細書及び請求の範囲に記載したソックスは発明をそれに制限するものではなく、むしろ、このような概念には、同様に本発明の対象となるストッキングやタイツ等も含まれる。
【図面の簡単な説明】
【００２０】
【図１】非対称的なＯリングバンデージを備えたソックスを足の外側から見た図である。
【図２】図１のソックス対を後方から見た図である。
【図３】非対称的なＯリングバンデージを備えたソックスの別の構成を示した図である。
【図４】図３のソックス対を後方から見た図である。
【図５】非対称的なＯリングバンデージを備えたソックスのさらに別の構成を示した図である。
【図６】図５のソックス対を後方から見た図である。
【図７】非対称的なＯリングバンデージを備えたソックスの付加的な構成を示した図である。
【図８】図７のソックス対を後方から見た図である。
【図１】
2009500538.tif 000003
【図２】
2009500538.tif 000004
【図３】
2009500538.tif 000005
【図４】
2009500538.tif 000006
【図５】
2009500538.tif 000007
【図６】
2009500538.tif 000008
【図７】
2009500538.tif 000009
【図８】
2009500538.tif 000010
【国際調査報告】
2009500538.tif 000011
2009500538.tif 000012
2009500538.tif 000013
2009500538.tif 000014
2009500538.tif 000015
2009500538.tif 000016